(57)【要約】      （修正有）【課題】収納可能なスタンドを備え、大型化を抑制することができるクリップボードを提供する。【解決手段】クリップボード１は、矩形のベース板と、該ベース板の第一縁部に取り付けられており、該ベース板の一面との間で物体を狭持するクリップと、該ベース板の他面２ｃにおいて、該第一縁部に交差する第二縁部に形成されており、該第二縁部に沿って延びる溝４と、該溝４に収納可能なスタンド５とを備える。好ましくは、該ベース板の一面における該第二縁部に形成され、該第二縁部に沿って該一面から突出した位置決め部２ｂを更に備え、該ベース板の他面２ｃにおいて、該位置決め部２ｂに対応する位置に該溝４が形成されている。【選択図】図１５
2020179599.tif 000002
【特許請求の範囲】
【請求項１】
矩形のベース板と、
該ベース板の第一縁部に取り付けられており、前記ベース板の一面との間で物体を狭持するクリップと、
前記ベース板の他面において、前記第一縁部に交差する第二縁部に形成されており、前記第二縁部に沿って延びる溝と、
該溝に収納可能なスタンドと
を備えるクリップボード。
【請求項２】
前記ベース板の一面における前記第二縁部に形成され、前記第二縁部に沿って前記一面から突出した位置決め部を備え、
前記ベース板の他面において、前記位置決め部に対応する位置に前記溝が形成されている
請求項１に記載のクリップボード。
【請求項３】
前記スタンドは柱状をなし、
前記スタンドの中途部に第一ヒンジ部が設けられ、前記スタンドの端部に第二ヒンジ部が設けられ、
前記第二ヒンジ部が前記溝の端部に回動可能に取り付けられており、
前記第一ヒンジ部は、前記スタンドの外面に形成され、前記スタンドの長手方向に交差する方向に沿って延びる第一ヒンジ溝を有し、
前記第二ヒンジ部は、前記スタンドの外面に形成され、前記スタンドの長手方向に交差する方向に沿って延びる第二ヒンジ溝を有し、
前記第一ヒンジ溝及び第二ヒンジ溝それぞれの底面は、前記スタンドの外面又は前記ベース板の一面若しくは他面に対して傾斜する
請求項１又は２に記載のクリップボード。
【請求項４】
前記第一ヒンジ溝の底面と前記スタンドの外面又は前記ベース板の一面若しくは他面とがなす傾斜角は、第二ヒンジ溝の底面と前記スタンドの外面又は前記ベース板の一面若しくは他面とがなす傾斜角よりも小さい
請求項３に記載のクリップボード。
【発明の詳細な説明】
【技術分野】
【０００１】
本技術はクリップボードに関する。
【背景技術】
【０００２】
従来、ボードの裏面中央部に凹部を形成し、該凹部に支持片（スタンド）を収納させるクリップボードが提案されている。必要に応じて、凹部から支持片が引き出され、クリップボードを立てることができる（例えば、特許文献１参照）。
【先行技術文献】
【特許文献】
【０００３】
【特許文献１】実用新案登録第３１９３１０３号公報
【発明の概要】
【発明が解決しようとする課題】
【０００４】
しかし、裏面中央部に凹部を形成しているので、ボードの厚みが全体的に大きくなりやすく、クリップボード全体が大型化するおそれがある。
【０００５】
本開示は斯かる事情に鑑みてなされたものであり、収納可能なスタンドを備え、大型化を抑制することができるクリップボードを提供することを目的とする。
【課題を解決するための手段】
【０００６】
本開示に係るクリップボードは、矩形のベース板と、該ベース板の第一縁部に取り付けられており、前記ベース板の一面との間で物体を狭持するクリップと、前記ベース板の他面において、前記第一縁部に交差する第二縁部に形成されており、前記第二縁部に沿って延びる溝と、該溝に収納可能なスタンドとを備える。
【０００７】
本開示においては、ベース板の第二縁部に沿って延びる溝にスタンドを収納させることによって、スタンドを収納するスペースを最小化させる。
【０００８】
本開示に係るクリップボードは、前記ベース板の一面における前記第二縁部に形成され、前記第二縁部に沿って前記一面から突出した位置決め部を備え、前記ベース板の他面において、前記位置決め部に対応する位置に前記溝が形成されている。
【０００９】
本開示においては、例えば、ベース板の第二縁部を屈曲させるように形成し、位置決め部はベース板の一面から突出する。このとき、位置決め部の反対側には溝が自然に形成される。形成された溝にスタンドを収納する。即ち、位置決め部の形成時に同時に溝が形成され、溝を新たに設ける必要はない。
【００１０】
本開示に係るクリップボードは、前記スタンドは柱状をなし、前記スタンドの中途部に第一ヒンジ部が設けられ、前記スタンドの端部に第二ヒンジ部が設けられ、前記第二ヒンジ部が前記溝の端部に回動可能に取り付けられており、前記第一ヒンジ部は、前記スタンドの外面に形成され、前記スタンドの長手方向に交差する方向に沿って延びる第一ヒンジ溝を有し、前記第二ヒンジ部は、前記スタンドの外面に形成され、前記スタンドの長手方向に交差する方向に沿って延びる第二ヒンジ溝を有し、前記第一ヒンジ溝及び第二ヒンジ溝それぞれの底面は、前記スタンドの外面又は前記ベース板の一面若しくは他面に対して傾斜する。
【００１１】
本開示においては、第二ヒンジ溝が傾斜することによって、スタンドをベース板の裏面から離れさせる場合、スタンドはベース板の中央側に向かうように離れる。第一ヒンジ溝が傾斜することによって、第一ヒンジ部を支点にして、スタンドの先端部をベース板の裏面に向けて回動させた場合、スタンドの先端部は、ベース板の第二縁部に向かうようにベース板の裏面に接近し、溝に嵌合する。そのため、立った状態のクリップボードの横幅が、平置きにした状態よりも大きくなることを防止できる。立った状態のクリップボードをベース板の表面から視認した場合、スタンドは視認されず、意匠性を向上させることができる。
【００１２】
本開示に係るクリップボードは、前記第一ヒンジ溝の底面と前記スタンドの外面又は前記ベース板の一面若しくは他面とがなす傾斜角は、第二ヒンジ溝の底面と前記スタンドの外面又は前記ベース板の一面若しくは他面とがなす傾斜角よりも小さい。
【００１３】
本開示においては、第一ヒンジ溝の底面の傾斜角を、第二ヒンジ溝の底面の傾斜角よりも小さくすることによって、スタンドを回動させてベース板を支持させる場合、スタンドの先端部は溝に向けて移動する。
【発明の効果】
【００１４】
本開示に係るクリップボードにあっては、ベース板の第二縁部に沿って延びる溝にスタンドを収納させることによって、スタンドを収納するスペースを最小化し、クリップボードの大型化を抑制することができる。
【図面の簡単な説明】
【００１５】
【図１】上方から視認したクリップボードの略示斜視図である。
【図２】クリップボードの略示背面図である。
【図３】図２に示すＩＩＩ−ＩＩＩ線を切断線とした略示断面図である。
【図４】図２に示すＩＶ−ＩＶ線を切断線とした略示断面図である。
【図５】図２に示すＶ−Ｖ線を切断線とした略示断面図である。
【図６】下方から視認したスタンドの略示斜視図である。
【図７】スタンドの略示底面図である。
【図８】第一ヒンジ部の略示部分拡大右側面図である。
【図９】第二ヒンジ部の略示部分拡大右側面図である。
【図１０】図８に示すＸ−Ｘ線を切断線とした略示断面図である。
【図１１】図８に示すＸＩ−ＸＩ線を切断線とした略示断面図である。
【図１２】図９に示すＸＩＩ−ＸＩＩ線を切断線とした略示断面図である。
【図１３】図９に示すＸＩＩＩ−ＸＩＩＩ線を切断線とした略示断面図である。
【図１４】スタンドを収納溝に収納したクリップボードの略示背面図である。
【図１５】立った状態のクリップボードを略示する斜視図である。
【発明を実施するための形態】
【００１６】
以下本発明を実施の形態に係るクリップボード１を示す図面に基づいて説明する。以下の説明では、図に示す上下前後左右を使用する。図１は、上方から視認したクリップボード１の略示斜視図である。
【００１７】
図１に示すように、クリップボード１は矩形のベース板２を備える。ここで、ベース板２の長辺に沿う方向は前後方向に対応し、短辺に沿う方向は左右方向に対応する。ベース板２の上面２ａにおいて、後縁部にクリップ３が取り付けられている。クリップ３は、ばねなどの付勢部材（図示略）を備え、該付勢部材の付勢力によって、上面２ａとの間に、紙などの物体を狭持し、保持することができる。後縁部は第一縁部に対応する。
【００１８】
ベース板２の左縁部において、位置決め部２ｂが上側に突出している。位置決め部２ｂは前後方向に延び、ベース板２の左縁部全体に亘って形成されている。位置決め部２ｂは、後述するスタンド５（図７参照）に倣った形状を有する。左縁部は第二縁部に対応する。
【００１９】
図２は、クリップボード１の略示背面図、図３は、図２に示すＩＩＩ−ＩＩＩ線を切断線とした略示断面図、図４は、図２に示すＩＶ−ＩＶ線を切断線とした略示断面図、図５は、図２に示すＶ−Ｖ線を切断線とした略示断面図である。なお図２〜図５において、スタンド５の記載を省略している。
【００２０】
図３〜図５に示すように、位置決め部２ｂの正面断面形状は、下側が開口したコの字状をなす。そのため、位置決め部２ｂの反対側、即ちベース板の下面２ｃにおける左縁部には、前後に延びた溝が形成され、該溝はスタンド５を収納する収納溝４を構成する。収納溝４はスタンド５に倣った形状を有する。
【００２１】
図２及び図３に示すように、収納溝４の後端部に二つの係止突起４ａが設けられている。前記二つの係止突起４ａは収納溝４の左右側面からそれぞれ突出している。係止突起４ａは左右側面の下部に位置する。
【００２２】
図２及び図４に示すように、収納溝４の前後方向中途部に二つの係止突起４ａが設けられている。前記二つの係止突起４ａは収納溝４の左右側面からそれぞれ突出している。係止突起４ａは左右側面の下部に位置する。また収納溝４の前後方向中途部の前寄りに、三つの貫通孔４ｂが形成されている。三つの貫通孔４ｂは前後方向に並んでおり、収納溝４の左上隅部に形成されている。
【００２３】
図２及び図５に示すように、収納溝４の前端部に、収納溝４の開口を部分的に塞ぐように押さえ板４ｃが形成されている。収納溝４の前端部の底面に上方に突出した凸部４ｄが形成されている。凸部４ｄは押さえ板４ｃよりも前側に配置されている。収納溝４の前端には壁が形成されており、塞がれている。
【００２４】
図６は、下方から視認したスタンド５の略示斜視図、図７は、スタンド５の略示底面図である。スタンド５は四角柱状をなし、前後方向に延びる。スタンド５の後端部は若干右側に屈曲している。スタンド５の後端部右側面には、右方向に突出した支持部５ａが形成されている。支持部５ａは底面視三角形状をなし、支持部５ａの後辺部とスタンド５の右側面とがなす角は略直角である。スタンド５の後端左右側面には、係止凸部９がそれぞれ形成されている。左側の係止凸部９は左方に突出し、右側の係止凸部９は右方に突出する。二つの係止凸部９の間の左右寸法は、収納溝４の左右寸法よりも若干長い。
【００２５】
スタンド５の後端部には二つの第一凹部６が形成されている。第一凹部６は支持部５ａよりも前側に位置する。二つの第一凹部６はスタンド５の左下隅部及び右下隅部に、それぞれ形成されている。
【００２６】
スタンド５の中央部には二つの第二凹部７が形成されている。二つの第二凹部７はスタンド５の左下隅部及び右下隅部に、それぞれ形成されている。第二凹部７の前隣に第一ヒンジ部１０が形成されている。第一ヒンジ部１０の詳細は後述する。
【００２７】
スタンド５の下端部に第二ヒンジ部２０が形成されている。第二ヒンジ部２０の詳細は後述する。スタンド５の下端部に下側が開口した嵌合凹部８が形成されている（後述の図９参照）。嵌合凹部８は第二ヒンジ部２０よりも前側に位置する。嵌合凹部８には、前記押さえ板４ｃ（図２、図５参照）が嵌合する。嵌合凹部８には上下に貫通した挿入孔８ａが形成されている。挿入孔８ａには前記凸部４ｄ（図２、図５参照）が挿入される。
【００２８】
図８は、第一ヒンジ部１０の略示部分拡大右側面図、図９は、第二ヒンジ部２０の略示部分拡大右側面図、図１０は、図８に示すＸ−Ｘ線を切断線とした略示断面図、図１１は、図８に示すＸＩ−ＸＩ線を切断線とした略示断面図、図１２は、図９に示すＸＩＩ−ＸＩＩ線を切断線とした略示断面図、図１３は、図９に示すＸＩＩＩ−ＸＩＩＩ線を切断線とした略示断面図である。
【００２９】
図８に示すように、第一ヒンジ部１０は、スタンド５の上面に形成された複数の上溝１１と、スタンド５の下面に形成された複数の下溝１２とを備える。上溝１１及び下溝１２は第一ヒンジ溝に対応する。上溝１１及び下溝１２は左右方向に延びる。複数の上溝１１は前後方向に並び、下溝１２も前後方向に並ぶ。上溝１１及び下溝１２は、前後方向において、交互に配置されている。
【００３０】
図１０に示すように、上溝１１の底面１１ａは左側が右側よりも下に位置するように傾斜している。図１１に示すように、下溝１２の底面１２ａは左側が右側よりも下に位置するように傾斜している。スタンド５の上面又は下面に平行な基準面３０と、上溝１１の底面１１ａとがなす角をθ１とした場合、基準面３０と、下溝１２の底面１２ａとがなす角もθ１である。スタンド５の上面又は下面は、スタンド５の外面に対応する。なお基準面３０は、スタンド５を収納溝４に収納させた状態において、ベース板２の上面２ａ又は下面２ｃに平行な面でもある。
【００３１】
図９に示すように、第二ヒンジ部２０は、スタンド５の上面に形成された複数の上溝２１と、スタンド５の下面に形成された複数の下溝２２とを備える。上溝２１及び下溝２２は第二ヒンジ溝に対応する。上溝２１及び下溝２２は左右方向に延びる。複数の上溝２１は前後方向に並び、下溝２２も前後方向に並ぶ。上溝２１及び下溝２２は、前後方向において、交互に配置されている。
【００３２】
図１２に示すように、上溝２１の底面２１ａは左側が右側よりも下に位置するように傾斜している。図１３に示すように、下溝２２の底面２２ａは左側が右側よりも下に位置するように傾斜している。基準面３０と、上溝２１の底面２１ａとがなす角をθ２とした場合、基準面３０と、下溝２２の底面２２ａとがなす角もθ２である。
【００３３】
角度θ１は角度θ２よりも小さい。即ち、第一ヒンジ部１０の底面１１ａ、１２ａとスタンド５の外面とがなす傾斜角θ１は、第二ヒンジ部２０の底面２１ａ、２２ａとスタンド５の外面とがなす傾斜角θ２よりも小さい。
【００３４】
図１４は、スタンド５を収納溝４に収納したクリップボード１の略示背面図である。スタンド５の前端部は、押さえ板４ｃと収納溝４の底面との間に挿入されており、嵌合凹部８に押さえ板４ｃが嵌合し、挿入孔８ａに凸部４ｄが挿入されて、スタンド５は収納溝４に取り付けられ、収納されている。収納溝４の係止突起４ａはスタンド５を係止し、スタンド５が収納溝４から外れることを防止する。スタンド５は弾性を有し、スタンド５に下面２ｃから離れる方向に力を作用させることによって、スタンド５を収納溝４から外すことができる。スタンド５を収納溝４に収納させる場合、スタンド５を収納溝４に押し込む。
【００３５】
図１５は、立った状態のクリップボード１を略示する斜視図である。クリップボード１を立たせる場合、スタンド５を収納溝４から外し、第二ヒンジ部２０を支点にして、スタンド５を下面２ｃから離れる方向に回転させる。このとき、第二ヒンジ部２０の上溝２１及び下溝２２の底面２１ａ、２２ａは傾斜しているので、スタンド５は下面５ｃから離れつつ、下面５ｃの中央側に、即ち右側に移動する。スタンド５は、ベース板２の上面２ａ側から見て、裏側に配置される。
【００３６】
更に、第一ヒンジ部１０を支点にして、スタンド５の後部を下面２ｃに接近させる方向に回転させる。このとき、第一ヒンジ部１０の上溝１１及び下溝１２の底面１１ａ、１２ａは傾斜しているので、スタンド５は下面５ｃに接近しつつ、収納溝４側に、即ち左側に移動する。スタンド５の後端を収納溝４に嵌合させる。
【００３７】
上述したように、スタンド５の後端の左右に形成された二つの係止凸部９の間の左右寸法は、収納溝４の左右寸法よりも若干長い。そのため、スタンド５の後端を収納溝４に押し込むことによって、スタンド５の後端は収納溝４に嵌合し、固定される。
【００３８】
前述したように、収納溝４には三つの貫通孔４ｂが形成されている。三つの貫通孔４ｂに対応した位置において、スタンド５の後端を収納溝４に嵌合させることによって、所望の角度にてクリップボード１を立たせることができる。例えば、最も後側に位置する貫通孔４ｂにおいて、スタンド５の後端を収納溝４に嵌合させた場合、クリップボード１と設置面とのなす角度は約２０度であり、中央に位置する貫通孔４ｂにおいて、スタンド５の後端を収納溝４に嵌合させた場合、クリップボード１と設置面とのなす角度は約１５度であり、最も前側に位置する貫通孔４ｂにおいて、スタンド５の後端を収納溝４に嵌合させた場合、クリップボード１と設置面とのなす角度は約１０度である。
【００３９】
図１５は、ベース板２の前縁部を下側にして、即ち縦向きにしてクリップボード１を立たせているが、ベース板２の左縁部を下側にして、即ち横向きにしてクリップボード１を立たせてもよい。
【００４０】
実施の形態に係るクリップボード１においては、ベース板２の左縁部に沿って延びる収納溝４にスタンド５を収納させることによって、スタンド５を収納するスペースを最小化し、クリップボード１の大型化を抑制することができる。
【００４１】
また位置決め部２ｂの裏側に形成された溝を収納溝４として利用することによって、収納溝４を別途形成する必要はなくなる。
【００４２】
また第二ヒンジ部２０の上溝２１及び下溝２２が傾斜することによって、スタンド５をベース板２の下面（裏面）から離れさせる場合、スタンド５はベース板２の中央側に向かうように離れる。第一ヒンジ部１０の上溝１１及び下溝１２が傾斜することによって、第一ヒンジ部１０を支点にして、スタンド５の先端部をベース板２の下面（裏面）に向けて回動させた場合、スタンド５の後端部は、ベース板２の左縁部に向かうようにベース板２の下面（裏面）に接近し、収納溝４に嵌合する。そのため、立った状態のクリップボード１の横幅が、平置きにした状態よりも大きくなることを防止できる。立った状態のクリップボード１をベース板２の上面（表面）から視認した場合、スタンド５は視認されず、意匠性を向上させることができる。
【００４３】
また第一ヒンジ部１０の上溝１１及び下溝１２の底面１１ａ、１２ａの傾斜角を、第二ヒンジ部２０の上溝２１及び下溝２２の底面２１ａ、２２ａの傾斜角よりも小さくすることによって、スタンド５を回動させてベース板を２支持させる場合、スタンド５の後端部は収納溝４に向けて移動し、収納溝４に嵌合させやすくなる。
【００４４】
上述した実施の形態においては、ベース板２の左縁部に収納溝４を形成しているが、右縁部に形成してもよく、左右縁部両方に形成してもよい。またクリップ３に対向する縁部、即ち前縁部に収納溝４を形成してもよい。またスタンド５は四角柱状に限らず、五角柱状、六角柱状など、他の多角柱状であってもよく、円柱状又は半円柱状であってもよい。
【００４５】
実施の形態においては、上溝１１、２１及び下溝１２、２２はそれぞれ、複数形成されているが、単数でもよい。また第一ヒンジ部１０は上溝１１又は下溝１２のいずれか一方のみを備えてもよいし、第二ヒンジ部２０は上溝２１又は下溝２２のいずれか一方のみを備えてもよい。
【００４６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４７】
１  クリップボード
２  ベース板
２ａ  上面（一面）
２ｂ  位置決め部
２ｃ  下面（他面）
３  クリップ
４  収納溝（溝）
５  スタンド
１０  第一ヒンジ部
１１  上溝（第一ヒンジ溝）
１２  下溝（第一ヒンジ溝）
２０  第二ヒンジ部
２１  上溝（第二ヒンジ溝）
２２  下溝（第二ヒンジ溝）
【図１】
2020179599.tif 000003
【図２】
2020179599.tif 000004
【図３】
2020179599.tif 000005
【図４】
2020179599.tif 000006
【図５】
2020179599.tif 000007
【図６】
2020179599.tif 000008
【図７】
2020179599.tif 000009
【図８】
2020179599.tif 000010
【図９】
2020179599.tif 000011
【図１０】
2020179599.tif 000012
【図１１】
2020179599.tif 000013
【図１２】
2020179599.tif 000014
【図１３】
2020179599.tif 000015
【図１４】
2020179599.tif 000016
【図１５】
2020179599.tif 000017